(57)【要約】本発明は、温室の屋根を被覆するプラスチックフィルムの張設作業を容易にすることを目的とするものであり、窓受け枠４が、温室の屋根を形成する骨材１０上に配設されるフィルム固定具１１の一部と係合して、該フィルム固定具１１をスライド移動可能に保持し得る保持部４ｃを備えると共に、骨材１０には、フィルム固定具１１を、そのスライド移動可能範囲内における任意の位置にて骨材１０に固着し得るジョイント部材１２が設けられていることを特徴とする。
2003105572.tif 000002
【特許請求の範囲】
【請求項１】
温室の屋根に設けられる換気用の開口部と、該開口部の周縁に設けられる窓受け枠と、該窓受け枠に支持され、前記開口部を開閉可能な窓部材とを備える天窓の構造であって、前記窓受け枠は、棟に対して略平行に配置される端縁部に、温室の屋根を形成する骨材上に配設されるフィルム固定具の一部と係合して、該フィルム固定具をスライド移動可能に保持し得る保持部を備えると共に、前記骨材には、前記フィルム固定具を、そのスライド移動可能範囲内における任意の位置にて前記骨材に固着し得るジョイント部材が設けられていることを特徴とする天窓の構造。
【請求項２】
棟を挟んでその両側に屋根を有する温室において、前記開口部は、棟を跨いで、棟と交差する方向に広がるように形成され、前記窓受け枠は、棟に対して各々略平行に配置される両端縁部に前記保持部を備えると共に、前記窓部材は、棟を挟んでその両側に存する屋根のうちの少なくとも一方に存する前記窓受け枠の端縁部に一方の周縁部が支持され、その支持部を中心として他方の周縁部が上下方向に回動するように設けられていることを特徴とする請求項１に記載の天窓の構造。
【請求項３】
前記天窓が棟方向に沿って複数設けられると共に、各天窓を構成する一部の窓部材の一方の周縁部が、個々に一側の屋根に存する前記窓受け枠の端縁部に、その余の窓部材の一方の周縁部が、個々に他側の屋根に存する前記窓受け枠の端縁部に、それぞれ支持されていることを特徴とする請求項２に記載の天窓の構造。
【請求項４】
前記窓部材の開放方向が交互に逆向きとなるように、前記各天窓が配設されていることを特徴とする請求項３に記載の天窓の構造。
【請求項５】
温室の屋根の下方に、棟と交差する方向にスライド移動可能に設けられるスライド部材と、一端が前記スライド部材に、他端が前記窓部材の他方の周縁部にそれぞれ連結されるアームとを具備することを特徴とする請求項１から４のいずれか１項に記載の天窓の構造。
【請求項６】
１の前記スライド部材に、複数の前記アームを介して、複数の前記窓部材が連結されていることを特徴とする請求項５に記載の天窓の構造。
【請求項７】
請求項１から６のいずれか１項に記載の天窓の構造を具備することを特徴とする温室。
【発明の詳細な説明】
技術分野
本発明は、温室の屋根に設けられる天窓の構造及び該天窓の構造を具備する温室に関するものである。
背景技術
従来、温室における室内換気については、換気効率を高めるために、温室の屋根の頭頂部にあたる棟付近に天窓を設けるのが一般的である。具体的には、例えば、棟を挟んでその両側に存する屋根に、それぞれ棟に沿って開口部を設けると共に、該各開口部を開閉可能に設けられる窓部材の一方の周縁部を、棟に沿って設けられた棟木に連結し、該棟木を中心として各窓部材の他方の周縁部を上下方向に回動させることで、各窓部材を開閉動作させるようにした構造のものが知られている（例えば、特開２００１−１４８９４８号公報・特開２０００−１０６７６３号公報参照）。
ところで、天窓を備える温室にあっては、特に外部気流が無風に近い場合には、温室内の換気効率が低下するため、天窓を構成する開口部の開口面積をある程度大きく確保することが要求されている。
しかしながら、上記のように、棟木を回動中心として窓部材を開閉動作させる構造では、開口部の開口面積を大きく取ろうとすると、強度維持上の観点から、屋根を形成する棟木や垂木などの骨材として大きな径のものを用いなければならないなど、各部の十分な補強手段を講ずる必要があり、コスト高となるのを避けられない。
一方、温室の被覆材であるプラスチックフィルムは、風等によるばたつきを防止するために、できるだけ張力をかけて張設されることが望まれている。しかし、プラスチックフィルムを温室の屋根に張設する場合には、高所での作業となるため、プラスチックフィルムに適度な張力をかけることが必ずしも容易ではなかった。
本発明は、上記事情に鑑みなされたものであり、温室の屋根を被覆するプラスチックフィルムを張設するための新たな手法を提供し、張設作業の容易化を図ることができる天窓の構造及び該天窓の構造を具備する温室を提供することを課題とする。また、本発明は、一定の強度を保持しつつ、従来の天窓の構造よりも開口部の開口面積を大きく取ることができ、温室内の換気効率の向上を図ることが可能な天窓の構造及び該天窓の構造を具備する温室を提供することを課題とする。
発明の開示
上記した課題を解決するため、請求項１に記載の本発明は、温室の屋根に設けられる換気用の開口部と、該開口部の周縁に設けられる窓受け枠と、該窓受け枠に支持され、前記開口部を開閉可能な窓部材とを備える天窓の構造であって、前記窓受け枠は、棟に対して略平行に配置される端縁部に、温室の屋根を形成する骨材上に配設されるフィルム固定具の一部と係合して、該フィルム固定具をスライド移動可能に保持し得る保持部を備えると共に、前記骨材には、前記フィルム固定具を、そのスライド移動可能範囲内における任意の位置にて前記骨材に固着し得るジョイント部材が設けられていることを特徴とする天窓の構造を提供する。
請求項２に記載の本発明は、棟を挟んでその両側に屋根を有する温室において、前記開口部は、棟を跨いで、棟と交差する方向に広がるように形成され、前記窓受け枠は、棟に対して各々略平行に配置される両端縁部に前記保持部を備えると共に、前記窓部材は、棟を挟んでその両側に存する屋根のうちの少なくとも一方に存する前記窓受け枠の端縁部に一方の周縁部が支持され、その支持部を中心として他方の周縁部が上下方向に回動するように設けられていることを特徴とする請求項１に記載の天窓の構造を提供する。
請求項３に記載の本発明は、前記天窓が棟方向に沿って複数設けられると共に、各天窓を構成する一部の窓部材の一方の周縁部が、個々に一側の屋根に存する前記窓受け枠の端縁部に、その余の窓部材の一方の周縁部が、個々に他側の屋根に存する前記窓受け枠の端縁部に、それぞれ支持されていることを特徴とする請求項２に記載の天窓の構造を提供する。
請求項４に記載の本発明は、前記窓部材の開放方向が交互に逆向きとなるように、前記各天窓が配設されていることを特徴とする請求項３に記載の天窓の構造を提供する。
請求項５に記載の本発明は、温室の屋根の下方に、棟と交差する方向にスライド移動可能に設けられるスライド部材と、一端が前記スライド部材に、他端が前記窓部材の他方の周縁部にそれぞれ連結されるアームとを具備することを特徴とする請求項１から４のいずれか１項に記載の天窓の構造を提供する。
請求項６に記載の本発明は、１の前記スライド部材に、複数の前記アームを介して、複数の前記窓部材が連結されていることを特徴とする請求項５に記載の天窓の構造を提供する。
請求項７に記載の本発明は、請求項１から６のいずれか１項に記載の天窓の構造を具備することを特徴とする温室を提供する。
作用
請求項１又は７に記載の本発明によれば、窓受け枠が、棟に対して略平行に配置される端縁部に、温室の屋根を形成する骨材上に配設されるフィルム固定具の一部と係合して、該フィルム固定具をスライド移動可能に保持し得る保持部を備えると共に、前記骨材には、前記フィルム固定具を、そのスライド移動可能範囲内における任意の位置にて前記骨材に固着し得るジョイント部材が設けられているため、谷底側の端部が固定されたプラスチックフィルムの天井側の端部を前記フィルム固定具に固定し、該フィルム固定具を前記ジョイント部材と共に棟に近接する方向にスライド移動させることにより、プラスチックフィルムに張力をかけることができる。そして、その後、ジョイント部材によりフィルム固定具を骨材に固着せしめることで、プラスチックフィルムに適度な張力を持たせて、これを容易に張設することが可能となる。
請求項２又は７に記載の本発明によれば、棟を挟んでその両側に屋根を有する温室において、棟を跨いで、棟と交差する方向に広がるように形成される開口部を開閉可能な窓部材が、棟を挟んでその両側に存する屋根のうちの少なくとも一方に存する前記窓受け枠の端縁部に支持された部位を中心として開閉動作するため、特別の補強手段を講じなくても一定の強度を保持しつつ、窓部材を全開させた際の開口部の開口面積を、従来の棟木を回動中心として窓部材を開閉動作させる構造のものよりも拡大することが可能である。また、かかる構成により、外気の風量が僅かであっても、負圧により温室内の空気が外部に吸引されることで、温室内の床面付近に生じる外気流とは逆方向の気流による循環流を起こり易くして、十分な換気を行うことが可能となる。さらに、前記窓受け枠は、棟に対して各々略平行に配置される両端縁部に前記フィルム固定具の保持部を備え、かつ骨材には、前記フィルム固定具を任意の位置にて骨材に固着し得るジョイント部材が設けられているため、棟を挟んだ両側の屋根におけるプラスチックフィルムの張設作業を容易なものとすることができる。
請求項３又は７に記載の本発明によれば、前記天窓が棟方向に沿って複数設けられると共に、各天窓を構成する一部の窓部材の一方の周縁部が、個々に一側の屋根に存する前記窓受け枠の端縁部に、その余の窓部材の一方の周縁部が、個々に他側の屋根に存する前記窓受け枠の端縁部に、それぞれ支持されているため、一部の窓部材とその余の窓部材の開放方向を互いに逆向きとすることができる。
請求項４又は７に記載の本発明によれば、前記窓部材の開放方向が交互に逆向きとなるように、前記各天窓が配設されているため、温室内全体に偏りなく外気を取り込むことが可能となり、換気効率をより向上させることができる。
請求項５又は７に記載の本発明によれば、温室の屋根の下方に、棟と交差する方向にスライド移動可能に設けられるスライド部材と、一端が前記スライド部材に、他端が前記窓部材の他方の周縁部にそれぞれ連結されるアームとを具備するため、スライド部材を棟と交差する方向にスライド移動させることにより、アームが起立方向又は倒伏方向に動作することを利用して、窓部材を開閉動作させることができる。
請求項６又は７に記載の本発明によれば、１の前記スライド部材に、複数の前記アームを介して、複数の前記窓部材が連結されているため、１のスライド部材を棟と交差する方向にスライド移動させることにより、複数のアームが同時に起立方向又は倒伏方向に動作することを利用して、複数の窓部材を一斉に開閉動作させることができる。
発明を実施するための最良の形態
以下、図面に示した実施形態に基づき本発明をさらに詳細に説明する。
図１は、本発明の一の実施形態にかかる天窓の構造を示す断面図である。この図に示したように、本実施形態にかかる天窓１は、温室の屋根の頭頂部にあたる棟７を挟んでその両側に屋根８ａ，８ｂを有する温室に用いられるものであり、開口部２、窓部材３、窓受け枠４を有して構成される。
開口部２は、図１及び図３に示したように、所定の幅Ｄを有する形状にて、棟７を跨いで、棟７と交差する方向に広がるように形成される。本実施形態における開口部２は、平面視で略方形に形成されたものであるが、開口部２の形状は何等限定されるものではない。
窓部材３は、一方の周縁部３ａが後述の窓受け枠４に支持され、その支持部を中心として他方の周縁部３ｂが上下方向に回動するように設けられる。窓部材３としては、開口部２を閉塞可能な形状ないし構造を有するものであればよい。本実施形態では、屋根８ａ，８ｂの形状に合わせて、側面が略への字状であって、平面視で略方形に形成された枠に、プラスチックフィルム又は板状のガラスが展張されたものが採用されている。
窓部材３を開閉動作させる手段としては、図３に示したように、スライド部材５とアーム６から構成されるものを採用することが好ましい。
スライド部材５は、屋根８ａ，８ｂの下方に、棟７と交差する方向にスライド移動可能に設けられる。スライド部材５としては、例えば、シャフトなどを用いることができる。また、スライド部材５をスライド移動させる駆動源としては、手動のほか、電動モータなどを利用した遠隔操作機構を採用することができる。
アーム６は、棒状に形成され、一端６ａがスライド部材５に、他端６ｂが窓部材３の他方の周縁部３ｂにそれぞれ連結されて配設される。このアーム６は、窓部材３とスライド部材５との間に介在して、窓部材３の他方の周縁部３ｂを上方向に押し上げたり、下方向に引き下げたりする働きをするものである。
すなわち、アーム６は、上記のように設けられることにより、スライド部材５が、図３において左方向（矢印Ｘ方向）にスライド移動すると、スライド部材５に連結された一端６ａが左方向に移動するのに伴い他端６ｂがアーム６を起立させる方向に移動する。これにより、アーム６の他端６ｂが連結された窓部材３の他方の周縁部３ｂが、上方向に回動して、開口部２が開放される。一方、スライド部材５が、図３において右方向（矢印Ｙ方向）にスライド移動すると、スライド部材５に連結された一端６ａが右方向に移動するのに伴い他端６ｂがアーム６を倒伏させる方向に移動する。これにより、アーム６の他端６ｂが連結された窓部材３の他方の周縁部３ｂが、下方向に回動して、開口部２が閉塞される。
なお、窓部材３を開閉動作させる手段としては、例えば、特開平９−２５２６６３号公報に開示された天窓の開閉機構や、あるいは特開２０００−１０６７６３号公報の図２〜図７にも開示されているようなラックとピニオンギアを利用した駆動方式などを採用することもできる。また、スライド部材５に代えて、温室の屋根８ａ，８ｂの下方に、棟７と交差する方向に沿ってガイド部材（図示せず）を設け、アーム６の一端６ａが該ガイド部材に沿ってスライド移動し得るような構造を採用することも可能である。
窓受け枠４は、開口部２の周縁に設けられる。窓受け枠４としては、図１及び図２に示したように、棟７に対して各々略平行に配置される両端縁部４ａ，４ｂに、温室の屋根８ａ，８ｂを形成する骨材１０上に配設されるフィルム固定具１１の一部１１ａと係合して、該フィルム固定具１１をスライド移動可能に保持し得る保持部４ｃを備えるものを用いることが好ましい。また、骨材１０には、フィルム固定具１１を、そのスライド移動可能範囲内における任意の位置にて骨材１０に固着し得るジョイント部材１２を設けることが好ましい。
上記のように構成される天窓１は、例えば、図４乃至図８に示したような連棟式温室の換気を行うための天窓として好適である。すなわち、本実施形態にかかる天窓１は、例えば、図４に示したように、同図において一点鎖線で示した各棟７に沿って複数配設される。この場合、各天窓１を構成する一部の窓部材３（３ｃ）の一方の周縁部３ａが、個々に一側の屋根８ａに存する窓受け枠４の端縁部４ａに、その余の窓部材３（３ｄ）の一方の周縁部３ａが、個々に他側の屋根８ｂに存する窓受け枠４の端縁部４ｂにそれぞれ支持されていることが好ましく、さらに、各窓部材３（３ｃ，３ｄ）の開放方向が交互に逆向きとなるように配設されることがより好ましい。
すなわち、本実施形態にかかる天窓１は、開口部２が開放された状態において、外気が図３において右から左方向（矢印Ｌ方向）へ流れている場合においては、その気流に伴って温室内の空気が外部に吸引されて換気されるものである。このため、上記のように、窓部材３の開放方向が交互に逆向きとなるように天窓１が配設されていると、外気の流れ方向が逆方向に変化した場合でも、これに対応して、一部の窓部材３（３ｃ）又はその余の窓部材３（３ｄ）のいずれか一方を開放動作させることで、効率良く換気を行うことができる。
また、各窓部材３（３ｃ，３ｄ）の開放方向を交互に逆向きとすることにより、温室内全体に偏りなく外気を取り込むことが可能となり、換気効率をより向上させることができる。
なお、図７に示したように、各窓部材３の一方の周縁部３ａを、すべて一側の屋根８ａに存する窓受け枠４の端縁部４ａに支持させて、各窓部材３の開放方向をすべて同一方向にする構造を採用することも勿論可能である。
そして、上記したいずれの場合であっても、本実施形態にかかる天窓１は、棟７を跨いで、棟７と交差する方向に広がるように形成される開口部２を開閉可能に設けられる窓部材３が、棟７を挟んでその両側に存する屋根８（８ａ，８ｂ）のうちの少なくとも一方に存する窓受け枠４の端縁部（４ａ，４ｂ）に支持された部位を回動中心として開閉動作するため、開口部２の開口面積を、従来の棟木を回動中心として窓部材を開閉動作させる構造のものよりも拡大することが可能である。その結果、外気の風量が僅かであっても、負圧により温室内の空気が外部に吸引されることで、温室内の床面付近に生じる外気流とは逆方向の気流による循環流を起こり易くして、十分な換気を行うことが可能となる。また、このように大きな開口面積を確保できる一方、それによる強度の低下は殆どなく、特別の補強手段を施す必要がないため、低コスト化を実現することが可能である。
窓部材３を開閉動作させる手段としては、図５又は図６に示したように、１のスライド部材５に、複数のアーム６を介して、複数の窓部材３（３ｃ，３ｄ）が連結される構成を採用することが好ましい。かかる構成によれば、１のスライド部材５を棟７と交差する方向にスライド移動させることにより、複数のアーム６が同時に起立方向又は倒伏方向に動作することを利用して、複数の窓部材３（３ｃ，３ｄ）を一斉に開閉動作させることが可能となるので、窓部材３（３ｃ，３ｄ）の開閉作業を容易なものとし、また各窓部材毎に開閉機構を設けたものと比較して、開閉のためのエネルギーの省力化を図ることができる。
また、本実施形態によれば、窓受け枠４にフィルム固定具１１の保持部４ｃが設けられ、また、骨材１０には、フィルム固定具１１を固定するジョイント部材１２が設けられているため、温室の被覆材であるプラスチックフィルム９を容易に展張することが可能となる。
すなわち、プラスチックフィルム９は、風等によるばたつきを防止するために、できるだけ張力をかけて張設されるが、この際の作業として、まず、谷樋１３（図８参照）の壁部に形成されたフィルム係合部等にブラスチックフィルム９の谷底側の端部を係合固定すると共に、プラスチックフィルム９の天井側の端部を、上記したフィルム固定具１１に固定する。この際、フィルム固定具１１は、窓受け枠４の保持部４ｃにより脱落することなく保持されているため、フィルム固定具１１に対するプラスチックフィルム９の取付作業が容易である。そして、フィルム固定具１１にプラスチックフィルム９を取り付けたならば、該フィルム固定具１１をジョイント部材１２と共に棟７に近接する方向にスライド移動させる。これにより、プラスチックフィルム９に張力を掛けることができる。そして、その後、ジョイント部材１２によりフィルム固定具１１を骨材１０に固着せしめることで、プラスチックフィルム９に適度な張力を持たせて、これを張設することができる。
産業上の利用可能性
以上説明した通り、本発明の天窓の構造及び該天窓の構造を具備する温室によれば、温室の屋根を被覆するプラスチックフィルムを適度な張力を持たせて容易に張設することが可能となる。また、本発明によれば、一定の強度を保持しつつ、従来の天窓の構造よりも開口部の開口面積を大きく取ることができ、温室内の換気効率の向上を図ることが可能となる。
【図面の簡単な説明】
図１は、本発明の一の実施形態にかかる天窓の構造を示す断面図である。
図２は、図１のＡ部拡大斜視図である。
図３は、上記実施形態にかかる天窓の構造を示す概略断面図である。
図４は、上記実施形態にかかる天窓の構造を連棟式温室に適用した一例を示す平面図である。
図５は、図４のＢ−Ｂ線矢視断面図である。
図６は、図４のＣ−Ｃ線矢視断面図である。
図７は、上記実施形態にかかる天窓の構造を連棟式温室に適用した他の例を示す平面図である。
図８は、上記実施形態にかかる天窓の構造を具備する温室の構造を示す斜視図である。
これらの図において、符号１は天窓、２は開口部、３は窓部材、４は窓受け枠、５はスライド部材、６はアーム、７は棟、８ａ，８ｂは屋根、９はプラスチックフィルム、１０は骨材、１１はフィルム固定具、１２はジョイント部材、１３は谷樋である。
【図１】
2003105572.tif 000003
【図２】
2003105572.tif 000004
【図３】
2003105572.tif 000005
【図４】
2003105572.tif 000006
【図５】
2003105572.tif 000007
【図６】
2003105572.tif 000008
【図７】
2003105572.tif 000009
【図８】
2003105572.tif 000010
【国際調査報告】
2003105572.tif 000011
2003105572.tif 000012